(57)【特許請求の範囲】
【請求項１】
第１支点を有する第１定規部と、前記第１定規部と連結され、前記第１支点を通る第１基準線と直交した第１直線部を有する第２定規部と、を有する第１ゲージと、
第２支点を有する第３定規部と、前記第３定規部と連結され、前記第２支点を通る第２基準線と直交した第２直線部を有する第４定規部と、を有する第２ゲージと、
を備え、
前記第１基準線に沿った前記第１支点と前記第１直線部との距離は、前記第２基準線に沿った前記第２支点と前記第２直線部との距離と等しく、
前記第１ゲージと、前記第２ゲージとは、前記第１直線部と前記第２直線部とが交差するように、前記第１支点及び前記第２支点を共通の中心として回転可能に重ね合わされたことを特徴とする切断位置決定具。
【請求項２】
前記第２定規部の前記第１直線部に沿った部分又は前記第４定規部の前記第２直線部に沿った部分の少なくとも一方には目盛りが設けられたことを特徴とする請求項１記載の切断位置決定具。
【請求項３】
前記第１基準線に沿った前記第１支点と前記第１直線部との距離は調整可能に設けられ、
前記第２基準線に沿った前記第２支点と前記第２直線部との距離は調整可能に設けられたことを特徴とする請求項１または２に記載の切断位置決定具。
【請求項４】
前記第１定規部には、前記第１基準線に沿って複数の孔が設けられ、
前記第２定規部には、前記第２基準線に沿って複数の孔が設けられ、
前記第１定規部の前記複数の孔のうちいずれかを前記第１支点、前記第２定規部の前記複数の孔のうちいずれかを前記第２支点としたことを特徴とする請求項３記載の切断位置決定具。
【請求項５】
前記第１定規部には、前記第１基準線に沿って長さを調整する伸縮機構が設けられ、
前記第２定規部には、前記第２基準線に沿って長さを調整する伸縮機構が設けられたことを特徴とする請求項３記載の切断位置決定具。
【請求項６】
前記第１直線部の端は、前記第１基準線上に設けられ、
前記第２直線部の端は、前記第２基準線上に設けられたことを特徴とする請求項１〜５のいずれか１つに記載の切断位置決定具。
【発明の詳細な説明】
【技術分野】
【０００１】
本発明は、隣接する敷設対象物どうしを互いに斜めに配置するにあたり、各敷設対象物の端部の切断位置を決定するための切断位置決定具に関する。
【背景技術】
【０００２】
建設現場などにおいては、例えばＵ字型の側溝を並べて敷設する場合がある。この際、複数の側溝を直線的に並べる場合には、隣接する側溝どうしの互いの端面を単に突き合わせるようにして並べればよい。しかし、並びの途中で斜め方向に角度を付けて敷設する必要がある場合には、隣接する側溝のそれぞれの端面を斜め方向の角度に応じて切断して突き合わせる必要がある。
【０００３】
ここで、特許文献１には、台形出窓、Ｕ形出窓、三角形出窓等の取り付け部に対してブラインドやカーテン等の幕体を吊設する長尺支持体を架設するときに用いられる取付け部採寸定規が開示されている。また、特許文献２には、コンクリート製のブロック体を簡単な取り扱い操作により施工効率良く接合する方法が開示されている。
【先行技術文献】
【特許文献】
【０００４】
【特許文献１】実用新案登録第３０４９８６２号公報
【特許文献２】特開２００６−３０７４８０号公報
【発明の概要】
【発明が解決しようとする課題】
【０００５】
しかしながら、いずれの技術においても、隣接する敷設対象物どうしを互いに斜めに配置する際、敷設対象物の端部を斜めに切断する位置を容易に決定することはできない。特に、設計上の敷設角度は決まっていても、実際の作業現場においてはその状況に応じた角度調整を行う必要がある。このような場合、現場の状況に合った適切な角度になるように敷設対象物の切断位置を容易に決定できることが求められる。
【０００６】
本発明の目的は、隣接する敷設対象物どうしを互いに斜めに配置する際に、敷設対象物の端部の切断位置を容易に決定することができる切断位置決定具を提供することである。
【課題を解決するための手段】
【０００７】
上記課題を解決するため、本発明の切断位置決定具は、第１支点を有する第１定規部と、第１定規部と連結され、第１支点を通る第１基準線と直交した第１直線部を有する第２定規部と、を有する第１ゲージと、第２支点を有する第３定規部と、第３定規部と連結され、第２支点を通る第２基準線と直交した第２直線部を有する第４定規部と、を有する第２ゲージと、を備える。この切断位置決定具において、第１基準線に沿った第１支点と第１直線部との距離は、第２基準線に沿った第２支点と第２直線部との距離と等しい。また、第１ゲージと、第２ゲージとは、第１直線部と第２直線部とが交差するように、第１支点及び第２支点を共通の中心として回転可能に重ね合わされたことを特徴とする。
【０００８】
このような構成によれば、第１ゲージの第１直線部に対する第２ゲージの第２直線部の角度を、隣接する敷設対象物どうしの角度に合わせることで、第１直線部と第２直線部との交差位置に、敷設対象物の切断に必要な量が現れる。この量に合わせて２つの敷設対象物のそれぞれの端部を斜めに切断し、互いの切断面を突き合わせることで、隣接する敷設対象物どうしの角度を確実に設定することができる。
【０００９】
本発明の切断位置決定具において、第２定規部の第１直線部に沿った部分又は第４定規部の第２直線部に沿った部分の少なくとも一方には目盛りが設けられていてもよい。このような構成によれば、第１直線部と第２直線部との交差位置の長さを目盛りによって容易に参照することができる。
【００１０】
本発明の切断位置決定具において、第１基準線に沿った第１支点と第１直線部との距離は調整可能に設けられ、第２基準線に沿った第２支点と第２直線部との距離は調整可能に設けられていてもよい。
【００１１】
このような構成によれば、第１基準線に沿った第１支点と第１直線部との距離及び第２基準線に沿った第２支点と第２直線部との距離を、敷設対象物の幅に合わせることができ、様々な幅に対応して敷設対象物の切断位置を容易に決定することができる。
【００１２】
本発明の切断位置決定具において、第１定規部には、第１基準線に沿って複数の孔が設けられ、第２定規部には、第２基準線に沿って複数の孔が設けられ、第１定規部の複数の孔のうちいずれかを第１支点、第２定規部の複数の孔のうちいずれかを第２支点としてもよい。
【００１３】
このような構成によれば、第１定規部の複数の孔及び第２定規部の複数の孔を選択することで、第１基準線に沿った第１支点と第１直線部との距離及び第２基準線に沿った第２支点と第２直線部との距離を、敷設対象物の幅に合わせることができるようになる。
【００１４】
本発明の切断位置決定具において、第１定規部には、第１基準線に沿って長さを調整する伸縮機構が設けられ、第２定規部には、第２基準線に沿って長さを調整する伸縮機構が設けられていてもよい。
【００１５】
このような構成によれば、第１定規部に設けられた伸縮機構及び第２定規部に設けられた伸縮機構によって、第１基準線に沿った第１支点と第１直線部との距離及び第２基準線に沿った第２支点と第２直線部との距離を、敷設対象物の幅に合わせることができるようになる。
【００１６】
本発明の切断位置決定具において、第１直線部の端は、第１基準線上に設けられ、第２直線部の端は、第２基準線上に設けられていてもよい。このような構成によれば、第１直線部の端部または第２直線部の端部を基準として、第１直線部と第２直線部との交差位置までの距離を、切断位置として決定することができるようになる。
【発明の効果】
【００１７】
本発明によれば、隣接する敷設対象物どうしを互いに斜めに配置する際に、敷設対象物の端部の切断位置を容易に決定することができる切断位置決定具を提供することが可能になる。
【図面の簡単な説明】
【００１８】
【図１】（ａ）及び（ｂ）は、第１実施形態に係る切断位置決定具を例示する平面図である。
【図２】（ａ）及び（ｂ）は、切断位置決定具の長さ調整について例示する平面図である。
【図３】（ａ）は、側溝及び蓋の設置例を示す斜視図であり、（ｂ）は、蓋の切断ラインを例示する平面図である。
【図４】（ａ）及び（ｂ）は、切断位置決定具による切断位置の決定方法を例示する平面図である。
【図５】（ａ）〜（ｃ）は、切断位置決定具による切断位置の決定及び切断の例を示す平面図である。
【図６】第２実施形態に係る切断位置決定具を例示する平面図である。
【発明を実施するための形態】
【００１９】
以下、本発明の実施形態を図面に基づいて説明する。なお、以下の説明では、同一の部材には同一の符号を付し、一度説明した部材については適宜その説明を省略する。
【００２０】
（第１実施形態）
図１（ａ）の平面図に表したように、本実施形態に係る切断位置決定具１は、第１ゲージ１０と、第２ゲージ２０とを備える。第１ゲージ１０は、第１定規部１１と第２定規部１２とによりＬ字型の形状が構成され、第２ゲージ２０は、第３定規部２１と第４定規部２２とによりＬ字型の形状が構成される。
【００２１】
第１ゲージ１０において、第１定規部１１には第１支点Ｓ１が設けられる。第１支点Ｓ１は、第１ゲージ１０を回転移動させるための回転中心になる支点である。第２定規部１２は第１定規部１１の端部に連結される。すなわち、第１定規部１１の端部と第２定規部１２の端部とが連結されることで、互いに９０°異なる方向に延びたＬ字型の第１ゲージ１０が構成される。
【００２２】
第２定規部１２には第１直線部１２０が設けられる。第１直線部１２０は、第１支点Ｓ１を通る第１基準線ＲＬ１と直交する。第２定規部１２には、第１直線部１２０に沿って例えば１ｍｍ単位の目盛り１２１が付されていてもよい。
【００２３】
第２ゲージ２０において、第３定規部２１には第２支点Ｓ２が設けられる。第２支点Ｓ２は、第２ゲージ２０を回転移動させるための回転中心になる支点である。第４定規部２２は第３定規部２１の端部に連結される。すなわち、第３定規部２１の端部と第４定規部２２の端部とが連結されることで、互いに９０°異なる方向に延びたＬ字型の第２ゲージ２０が構成される。
【００２４】
第４定規部２２には第２直線部２２０が設けられる。第２直線部２２０は、第２支点Ｓ２を通る第２基準線ＲＬ２と直交する。第４定規部２２には、第２直線部２２０に沿って例えば１ｍｍ単位の目盛り２２１が付されていてもよい。目盛り１２１及び２２１は、いずれか一方でもよい。本実施形態では、両方の目盛り１２１及び２２１が付されている場合を例とする。目盛り１２１及び２２１を設ける場合、第２定規部１２の表面及び第４定規部２２の表面のうち、互いに向かい合う面とは反対側の面（外側の面）に設けられていることが望ましい。また、目盛り１２１及び２２１は、第２定規部１２及び第４定規部２２のそれぞれの表裏両面に設けられていてもよい。
【００２５】
本実施形態に係る切断位置決定具１では、第１基準線ＲＬ１に沿った第１支点Ｓ１と第１直線部１２０との距離Ｄ１が、第２基準線ＲＬ２に沿った第２支点Ｓ２と第２直線部２２０との距離Ｄ２と等しくなっている。
【００２６】
さらに、第１ゲージ１０と、第２ゲージ２０とは、第１直線部１２０と第２直線部２２０とが交差するように、第１支点Ｓ１及び第２支点Ｓ２を共通の中心として回転可能に重ね合わされている。つまり、Ｌ字型の第１ゲージ１０と、Ｌ字型の第２ゲージ２０とは、Ｌ字形状の表裏を互いに反対にして重ね合わされている。そして、第１支点Ｓ１及び第２支点Ｓ２を共通の支点としてそれぞれ回転可能に設けられている。
【００２７】
これにより、図１（ｂ）の平面図に表したように、第２ゲージ２０は、第１支点Ｓ１及び第２支点Ｓ２を中心に第１ゲージ１０に対して回転できるようになっている。第１ゲージ１０も同様に、第１支点Ｓ１及び第２支点Ｓ２を中心に第２ゲージ２０に対して回転できるようになっている。第１ゲージ１０及び第２ゲージ２０の互いの角度を変えることで、第１直線部１２０と第２直線部２２０との交差位置が変化する。
【００２８】
第１直線部１２０の原点は、第２定規部１２の端１２０ａである。この端１２０ａは、第１基準線ＲＬ１上に設けられる。目盛り１２１は、第２定規部１２の端１２０ａを原点として刻まれている。また、第２直線部２２０の原点は、第４定規部２２の端２２０ａである。この端２２０ａは、第２基準線ＲＬ２上に設けられる。目盛り２２１は、第４定規部２２の端２２０ａを原点として刻まれている。
【００２９】
ここで、第１直線部１２０と第２直線部２２０との交差位置をｘとした場合、第１直線部１２０の原点（端１２０ａ）から交差位置ｘまでの距離Ｍ１（目盛り１２１の読み値）と、第２直線部２２０の原点（端２２０ａ）から交差位置ｘまでの距離Ｍ２（目盛り２２１の読み値）とは、等しくなる。
【００３０】
すなわち、本実施形態に係る切断位置決定具１では、（１）第１支点Ｓ１及び第２支点Ｓ２が共通の支点であること、（２）第１基準線ＲＬ１と第１直線部１２０とが直交し、第２基準線ＲＬ２と第２直線部２２０とが直交すること、（３）距離Ｄ１及びＤ２が等しいこと、によって、距離Ｍ１及びＭ２は互いに等しくなる。切断位置決定具１において、この距離Ｍ１及びＭ２が、敷設対象物の切断位置を表すことになる。なお、切断位置の詳細な決定方法については後述する。
【００３１】
図２（ａ）及び（ｂ）の平面図に表したように、本実施形態に係る切断位置決定具１においては、距離Ｄ１及びＤ２が調整可能に設けられる。すなわち、第１基準線ＲＬ１に沿った第１支点Ｓ１の位置、及び第２基準線ＲＬ２に沿った第２支点Ｓ２の位置をそれぞれ変更できるようになっている。
【００３２】
例えば、第１定規部１１には第１基準線ＲＬ１に沿って複数の孔ｈ１が一定のピッチで設けられる。また、第３定規部２１には第２基準線ＲＬ２に沿って複数の孔ｈ２が孔ｈ１と同じ一定のピッチで設けられる。そして、第１定規部１１と第３定規部２１とは、第１支点Ｓ１及び第２支点Ｓ２で例えば蝶ねじ３０によって固定される。この蝶ねじ３０を留める孔ｈ１及びｈ２の位置によって、距離Ｄ１及びＤ２を所望の長さに設定することができる。
【００３３】
例えば、図２（ａ）に示すように、蝶ねじ３０を、第１直線部１２０及び第２直線部２２０から離れた位置の孔ｈ１及びｈ２に留めると、距離Ｄ１及びＤ２は長くなる。一方、図２（ｂ）に示すように、蝶ねじ３０を、第１直線部１２０及び第２直線部２２０と近い位置の孔ｈ１及びｈ２に留めると、距離Ｄ１及びＤ２は短くなる。なお、蝶ねじ３０を留める孔ｈ１及びｈ２の位置は、距離Ｄ１と距離Ｄ２とが等しくなる位置にする必要がある。
【００３４】
本実施形態では、孔ｈ１及びｈ２に留める部材として蝶ねじ３０を用いているが、例えば、ヒンジピンと割ピンのように付け外し可能な他の部材を用いてもよい。
【００３５】
次に、本実施形態に係る切断位置決定具１を用いた切断位置の決定方法について説明する。なお、以下の説明では、図３（ａ）の斜視図に表したようなＵ字型の側溝１００Ａ〜１００Ｃ及びその蓋２００Ａ〜２００Ｃを敷設対象物の例とする。
【００３６】
図３（ａ）には、一例として３つの側溝１００Ａ〜１００Ｃを並べて敷設した例が示される。この例では、互いに隣接する側溝１００Ａと側溝１００Ｂとの間、及び側溝１００Ｂと側溝１００Ｃとの間に所定の角度が設けられる。また、これらの側溝１００Ａ〜１００Ｃに合わせて蓋２００Ａと蓋２００Ｂとの間、及び蓋２００Ｂと蓋２００Ｃとの間にも角度が設けられる。
【００３７】
図３（ｂ）の平面図には、蓋２００Ａと蓋２００Ｂとの突き合わせ部分が表される。このように、隣接する蓋２００Ａ及び２００Ｂを斜めに突き合わせて配置する場合、それぞれの蓋２００Ａ及び２００Ｂの端部を同じ角度θ１で斜めに切断する必要がある。切断する角度θ１は、隣接する蓋２００Ａ及び２００Ｂの角度θ２の半分である。
【００３８】
ここで、隣接する蓋２００Ａ及び２００Ｂの角度θ２は、設置現場の状況によって必ずしも設計通りにはならない。また、蓋２００Ａ及び２００Ｂの切断ラインＳＬ１及びＳＬ２を設定する場合、蓋２００Ａ及び２００Ｂの角Ｃ１から角度θ１を測って切断ラインＳＬ１及びＳＬ２を設定するよりも、角Ｃ１と、向かい側の辺における距離Ｌ１の位置Ｐ１とを繋ぐ直線を引いた方が設定しやすい。本実施形態に係る切断位置決定具１では、設置現場に状況に応じてこの距離Ｌ１を求めることができる。
【００３９】
以下において、蓋２００Ａ及び２００Ｂを例として切断位置の決定方法を説明する。先ず、図４（ａ）の平面図に表したように、蓋２００Ａの幅Ｗに合わせて第１支点Ｓ１と第１直線部１２０との距離Ｄ１及び第２支点Ｓ２と第２直線部２２０との距離Ｄ２を設定する。距離Ｄ１及びＤ２を幅Ｗを合わせるには、図２に示したように、例えば蝶ねじ３０を留める孔ｈ１及びｈ２の位置によって行う。
【００４０】
次に、図４（ｂ）の平面図に表したように、第１直線部１２０と第２直線部２２０との角度θを、蓋２００Ａ及び２００Ｂを設置する角度θ２に合わせる。例えば、第１ゲージ１０の第１直線部１２０を蓋２００Ａの長辺に合わせた状態で、第２ゲージ２０を回転させて第２直線部２２０が蓋２００Ｂの長辺と平行となるように調整する。
【００４１】
また、設置現場などにおいて、蓋２００Ａ及び２００Ｂを実際に敷設する角度に合わせて仮置きした場合、蓋２００Ａの長辺に第１直線部１２０をあてがい、蓋２００Ｂの長辺に第２直線部２２０をあてがうようにしてもよい。これにより、蓋２００Ａ及び２００Ｂの実際の角度θ２に合わせて第１直線部１２０と第２直線部２２０との角度θを正確に合わせることができる。
【００４２】
次に、図５（ａ）の平面図に表したように、第１直線部１２０と第２直線部２２０との角度θを角度θ２に合わせた状態で、第１直線部１２０と第２直線部２２０との交差位置ｘでの目盛り１２１及び２２１を読む。この目盛り１２１及び２２１の読み値が切断位置決定具１で決定される距離Ｍ１となる。
【００４３】
次に、図５（ｂ）の平面図に表したように、切断位置決定具１で決定された距離Ｍ１を蓋２００Ａ及び２００Ｂの長辺の端から設定する。そして、蓋２００Ａ及び２００Ｂの角Ｃ１と、この距離Ｍ１の位置Ｐ１とを繋ぐ線を切断ラインＳＬ１及びＳＬ２とする。距離Ｍ１は、蓋２００Ａ及び２００Ｂを切断する長辺上の距離Ｌ１である。蓋２００Ａの短辺と切断ラインＳＬ１との角度は角度θ１であり、蓋２００Ｂの短辺と切断ラインＳＬ２との角度は角度θ１である。角度θ１は角度θ２の１／２である。そして、蓋２００Ａ及び２００Ｂの端部を切断ラインＳＬ１及びＳＬ２で切断する。
【００４４】
切断後、図５（ｃ）の平面図に表したように、蓋２００Ａ及び２００Ｂの互いの切断面を突き合わせる。これにより、蓋２００Ａ及び２００Ｂは、角度θ２で斜めに接続されることになる。
【００４５】
なお、上記では蓋２００Ａ及び２００Ｂの切断位置を決定する例を示したが、側溝１００Ａ〜１００Ｃなど、他の敷設対象物であっても同様な方法で切断位置を決定することができる。
【００４６】
このような本実施形態に係る切断位置決定具１では、距離Ｄ１及びＤ２を敷設対象物の幅Ｗに合わせ、第１直線部１２０及び第２直線部２２０の角度を敷設対象物の角度に合わせるだけで、敷設対象物を斜めに切断する際の切断位置を簡単に求めることができる。したがって、設置現場の状況に合わせて敷設対象物を正確に斜め切断することができるようになる。
【００４７】
（第２実施形態）
次に、第２実施形態の説明を行う。
図６の平面図に表したように、第２実施形態に係る切断位置決定具１Ｂでは、第１定規部１１及び第３定規部２１のそれぞれに伸縮機構１１０及び２１０が設けられている。他の構成は、第１実施形態に係る切断位置決定具１と同様である。
【００４８】
伸縮機構１１０及び２１０は、第１定規部１１及び第３定規部２１のそれぞれの長さを連続的に調整することができる。伸縮機構１１０及び２１０としては、例えば、スライド式で長さを調整できる構造を有する。第１定規部１１及び第３定規部２１に目盛りを設けておき、その目盛りに従い距離Ｄ１及びＤ２を正確に合わせられるようにしてもよい。
【００４９】
第２実施形態に係る切断位置決定具１Ｂを用いた敷設対象物の切断位置の決定方法は、第１実施形態に係る切断位置決定具１と同様である。第２実施形態に係る切断位置決定具１Ｂでは、第１定規部１１及び第３定規部２１の長さを連続的に調整できることで、距離Ｄ１及びＤ２を敷設対象物の幅Ｗに精度良く合わせることが可能になる。これにより、様々な幅Ｗの敷設対象物について、正確に斜めの切断位置を決定することができる。
【００５０】
以上説明したように、実施形態に係る切断位置決定具１及び１Ｂによれば、隣接する敷設対象物どうしを互いに斜めに配置する際に、敷設対象物の端部の切断位置を容易に決定することが可能になる。
【００５１】
なお、上記に本実施形態を説明したが、本発明はこれらの例に限定されるものではない。例えば、前述の各実施形態に対して、当業者が適宜、構成要素の追加、削除、設計変更を行ったものや、各実施形態の特徴を適宜組み合わせたものも、本発明の要旨を備えている限り、本発明の範囲に含まれる。
【符号の説明】
【００５２】
１，１Ｂ…切断位置決定具
１０…第１ゲージ
１１…第１定規部
１２…第２定規部
２０…第２ゲージ
２１…第３定規部
２２…第４定規部
３０…蝶ねじ
１００Ａ〜１００Ｃ…側溝
１１０，２１０…伸縮機構
１２０…第１直線部
２００Ａ〜２００Ｃ…蓋
２２０…第２直線部
ＲＬ１…第１基準線
ＲＬ２…第２基準線
Ｓ１…第１支点
Ｓ２…第２支点
ＳＬ１，ＳＬ２…切断ライン
ｈ１，ｈ２…孔
ｘ…交差位置
θ１，θ２…角度
【要約】
【課題】隣接する敷設対象物を斜めに配置する際に、敷設対象物の切断位置を容易に決定すること。
【解決手段】切断位置決定具１は、第１支点Ｓ１を有する第１定規部１１と、第１定規部１１と連結され、第１支点Ｓ１を通る第１基準線ＲＬ１と直交した第１直線部１２０を有する第２定規部１２と、を有する第１ゲージ１０と、第２支点Ｓ２を有する第３定規部２１と、第３定規部２１と連結され、第２支点Ｓ２を通る第２基準線ＲＬ２と直交した第２直線部２２０を有する第４定規部２２と、を有する第２ゲージ２０とを備える。第１基準線ＲＬ１に沿った第１支点Ｓ１と第１直線部１２０との距離Ｄ１は、第２基準線ＲＬ２に沿った第２支点Ｓ２と第２直線部２２０との距離Ｄ２と等しい。第１ゲージ１０と第２ゲージ２０とは、第１直線部１２０と第２直線部２２０とが交差するように第１支点Ｓ１及び第２支点Ｓ２を共通の中心として回転可能に重ね合わされる。
【選択図】図１【図１】
0005665008.tif 000002
【図２】
0005665008.tif 000003
【図３】
0005665008.tif 000004
【図４】
0005665008.tif 000005
【図５】
0005665008.tif 000006
【図６】
0005665008.tif 000007